(57)【特許請求の範囲】
【請求項１】
販売機本体の前面に配され、商品を選択するための複数の商品選択ボタンを備え、
前記各商品選択ボタンは、前記販売機本体の前面に取り付けられるボタン本体と、前記ボタン本体に対して着脱自在で前記商品を表示する商品カードと、を有し、
前記販売機本体の前部は、前記販売機本体の前面をなす外板部と、該外板部の裏側に配された内側構造体と、を有し、
前記外板部と前記内側構造体に架設され、前記ボタン本体に挿通される軸部材を前記各商品選択ボタンごとに備え、
前記ボタン本体を前記外板部と前記内側構造体の間で移動自在とし、
前記各商品選択ボタンは、前記ボタン本体における所定箇所の前記内側構造体方向への移動を検出する移動検出部を複数有し、
前記各移動検出部が互いに前記ボタン本体における異なる箇所の移動を検出するよう構成し、
全ての前記移動検出部により前記ボタン本体の移動が検出されると、当該商品選択ボタンが押圧されたと判断する押圧判断部を具備したことを特徴とする自動販売機。
【請求項２】
前記各商品選択ボタンは、前記ボタン本体を前記外板部方向へ付勢する付勢部材を有することを特徴とする請求項１に記載の自動販売機。
【請求項３】
前記付勢部材は、前記軸部材を巻回するスプリングであることを特徴とする請求項２に記載の自動販売機。
【請求項４】
前記移動検出部は、前記ボタン本体の背面側と接触することにより該ボタン本体の移動を検出する接触式センサであることを特徴とする請求項１から３のいずれか一項に記載の自動販売機。
【請求項５】
前記商品カードを前記ボタン本体の裏側に配し、
前記ボタン本体を透明又は半透明としたことを特徴とする請求項１から４のいずれか一項に記載の自動販売機。
【請求項６】
前記商品カードを発光させるための発光ユニットを、前記各商品選択ボタンの裏側に配したことを特徴とする請求項５に記載の自動販売機。
【請求項７】
前記発光ユニットは、前記各商品選択ボタンを発光させる発光位置と、前記各商品選択ボタンの後方から退去した退去位置と、に移動可能なよう前記内部構造体に設けられることを特徴とする請求項６に記載の自動販売機。
【請求項８】
前記各商品選択ボタンはマトリクス状に配されることを特徴とする請求項１から７のいずれか一項に記載の自動販売機。
【発明の詳細な説明】
【技術分野】
【０００１】
本発明は、販売機本体の前面に商品を選択するための複数の商品選択ボタンが配される自動販売機に関する。
【背景技術】
【０００２】
たばこ、飲料等の自動販売機では、販売機本体内に複数の商品収納コラムを備え、複数のブランドの商品を販売するものが一般的である。販売機本体の前面には、各銘柄のダミー商品を展示するための展示部と、各ダミー商品に対応する商品選択ボタンと、が配される（例えば、特許文献１参照）。
【０００３】
通常、展示部は利用者の目の高さ（アイライン）付近を中心に配され、販売機本体に収納されている銘柄のダミー商品が全て展示される。ダミー商品は一列または複数列で横方向に並べられるものが一般的で、全てのダミー商品の下側には商品選択ボタンが配置される。そして、利用者により金銭が投入されて商品が販売可能な場合に、各商品選択ボタンの所定部分が発光するものが一般的である。各商品選択ボタンの裏側には、ＬＥＤ等の発光体が配されており、所定の販売条件が成立すると点灯する。
【０００４】
特許文献１に記載の自動販売機では、アイライン付近に特定のダミー商品を展示する特定商品展示部が形成され、この下側に特定商品展示部のダミー商品を選択するための特定商品選択ボタンが配されている。そして、特定商品展示部及び特定商品選択ボタンを包囲する表示部が設けられ、特定商品が通常商品に比して目立つようになっている。これにより、特定の商品についてプロモーション活動を行うことができる。
【特許文献１】特開２００２−７４４８１号公報
【発明の開示】
【発明が解決しようとする課題】
【０００５】
しかしながら、特許文献１に記載の自動販売機では、商品選択ボタンと商品の展示部とを別個に設けているため、販売機本体の前面におけるスペース効率が悪いという問題点がある。特に、プロモーション活動を行う商品のために特定商品展示部及び特定商品選択ボタンを、他の展示部及び商品選択ボタンに対して独立的に設けているので、スペース効率が極めて悪い。
【０００６】
このように、商品の展示部と商品選択ボタンとが分離した状態では、販売機本体の前面スペースを効率良く利用することができない。特に、特定商品のプロモーション活動を行うとなると、より多くの前面スペースを消費することとなる。
【０００７】
ここで、商品選択ボタンの発光体を用いて、商品のプロモーション活動を行う自動販売機も知られているが、商品選択ボタン自体の面積が小さいことに加え、販売状態を示すための発光体では利用者に対して十分にアピールすることができない。このように、現状の自動販売機において、商品選択ボタンは、利用者の商品選択のツールとして機能するのみであり、その構造上、ボタンそれ自体による顧客訴求効果は低いと言わざるを得ない。
【０００８】
本発明は、前記事情に鑑みてなされたものであり、その目的とするところは、販売機本体の前面スペースを効率よく利用することができ、また、商品選択ボタンによる顧客訴求効果を格段に向上させることのできる自動販売機を提供することにある。
【課題を解決するための手段】
【０００９】
前記目的を達成するため、本発明では、自動販売機において、
販売機本体の前面に配され、商品を選択するための複数の商品選択ボタンを備え、
前記各商品選択ボタンは、前記販売機本体の前面に取り付けられるボタン本体と、前記ボタン本体に対して着脱自在で前記商品を表示する商品カードと、を有し、
前記販売機本体の前部は、前記販売機本体の前面をなす外板部と、該外板部の裏側に配された内側構造体と、を有し、
前記外板部と前記内側構造体に架設され、前記ボタン本体に挿通される軸部材を前記各商品選択ボタンごとに備え、
前記ボタン本体を前記外板部と前記内側構造体の間で移動自在とし、
前記各商品選択ボタンは、前記ボタン本体における所定箇所の前記内側構造体方向への移動を検出する移動検出部を複数有し、
前記各移動検出部が互いに前記ボタン本体における異なる箇所の移動を検出するよう構成し、
全ての前記移動検出部により前記ボタン本体の移動が検出されると、当該商品選択ボタンが押圧されたと判断する押圧判断部を具備したことを特徴とする。
【００１０】
本発明の自動販売機によれば、各商品選択ボタンそれ自体が表示部をなすことから、ダミー商品等を展示するためのスペースを販売機本体の前面に確保する必要はない。また、従来は単に商品選択のツールとされていた各商品選択ボタンを用いて、フロントフェイスを利用したプロモーション活動等を行って、顧客訴求効果を格段に向上させることができる。
ここで、商品カードがボタン本体に対して着脱自在であることから、各商品選択ボタンの選択商品の変更が簡単容易であり、販売商品の変更や、商品選択ボタンのレイアウト変更等に即座に対応することができる。また、商品カードが軽量薄型であることから運搬等に好適で、各自動販売機を巡回する作業車の積載量を少なくすることができるし、作業者にとっては取扱いが簡単容易である。従って、商品見本を展示する従来のものに比べて、各自動販売機の巡回作業の労力を格段に低減することができる。
【００１１】
また、この自動販売機によれば、商品選択に際して利用者がボタン本体を前方から押圧すると、ボタン本体が後方へ移動し、例えば押圧状態を検出する検出部により商品が選択されたことが検出される。ここで、外板部と内側構造体の間でボタン本体が前後方向へ移動自在となっており、ボタン本体が過度に拘束されて負荷が加わることはない。
また、ボタン本体に軸部材を挿通する孔を形成し、外板部と内側構造体とに軸部材を架設することにより、ボタン本体を前後方向へ移動自在とする構造が実現される。この構造により、ボタン本体をスライドさせるレール等は不要となり、部品点数及び製造工数を低減することができ、製造コストの低減を図ることができる。
【００１２】
また、この自動販売機によれば、各商品選択ボタンにおいて、複数の移動検出部によりボタン本体の押圧が検出される。ここで、全ての移動検出部によりボタン本体の移動が検出された際にボタン本体が押圧されたと判別され、ボタン本体が左右或いは上下に傾斜した姿勢となって一部の移動検出部がボタン本体の移動を検出したとしても、ボタン本体が押圧されたとは判別されない。これにより、ボタン本体に左右或いは上下で偏った負荷が加わるなどして、ボタン本体が左右或いは上下に傾斜した姿勢となった場合における商品の誤選択を排除することができる。
従って、利用者によりボタン本体の中心部が押圧されて、ボタン本体が正規の姿勢で移動した場合に商品が選択されたと判別されるので、商品の選択を的確に判別することができる。
【００１３】
また、上記自動販売機において、
前記各商品選択ボタンは、前記ボタン本体を前記外板部方向へ付勢する付勢部材を有する構成とすることができる。
【００１４】
この自動販売機によれば、ボタン本体が外板部側へ付勢されるので、ボタン本体はガタつくことなく販売機本体に取り付けられる。商品選択の際に利用者は付勢部材の付勢力に抗してボタン本体を待機位置から押圧位置まで移動させる。そして、商品選択後に付勢力によりボタン本体は待機位置へ復帰する。
【００１５】
また、上記自動販売機において、
前記付勢部材は、前記軸部材を巻回するスプリングである構成とすることができる。
【００１６】
この自動販売機によれば、簡易な構成でボタン本体を付勢することができる。
【００１９】
また、上記自動販売機において、
前記移動検出部は、前記ボタン本体の背面側と接触することにより該ボタン本体の移動を検出する接触式センサである構成とすることができる。
【００２０】
また、上記自動販売機において、
前記商品カードを前記ボタン本体の裏側に配し、
前記ボタン本体を透明又は半透明とした構成とすることができる。
【００２１】
この自動販売機によれば、利用者は、ボタン本体を通じて商品カードを視認し、当該商品選択ボタンの商品を認識することができる。また、商品カードはボタン本体の裏側であるので的確に保護され、悪戯等による商品カードの抜脱を防止することができる。
【００２２】
また、上記自動販売機において、
前記商品カードを発光させるための発光ユニットを、前記各商品選択ボタンの裏側に配した構成とすることができる。
【００２３】
この自動販売機によれば、例えば販売可能であることを報知したり広告表示する際に、発光ユニットにより商品カードが発光される。利用者は、商品選択ボタンの商品カードが発光すると、当該商品が例えば販売可能であったり広告表示されていることを認識することができる。
【００２４】
また、上記自動販売機において、
前記発光ユニットは、前記各商品選択ボタンを発光させる発光位置と、前記各商品選択ボタンの後方から退去した退去位置と、に移動可能なよう前記内部構造体に設けられる構成とすることができる。
【００２５】
この自動販売機によれば、発光ユニットを退去位置に移動させることにより、商品カードのボタン本体に対する脱着作業が可能となる。このとき、ボタン本体の後方が開放されるので、脱着時における商品カードの取扱いが容易であるし、作業者は商品カードの内容を視認しつつ脱着作業を行うことができる。これにより、商品カードの誤装着を防止することができる。
【００２６】
また、上記自動販売機において、
前記各商品選択ボタンはマトリクス状に配される構成とすることができる。
【００２７】
この自動販売機によれば、各商品選択ボタンがマトリクス状に配されることから、従来の自動販売機にはない新たな外観を呈することとなる。すなわち、フロントフェイスが独特の外観を呈し、従来は点であった各商品選択ボタンを面で見せることができる。
【発明の効果】
【００２８】
このように、本発明の自動販売機によれば、ダミー商品等を展示するためのスペースを販売機本体の前面に確保する必要はないことから、利用者に対してすっきりした印象を与えることができ、顧客訴求効果を向上させつつ効率良く販売機本体の前面を利用することができる。
また、商品カードがボタン本体に対して着脱自在であることから、販売商品の変更や、商品選択ボタンのレイアウト変更等に即座に対応することができ、実用に際して極めて有利である。
【発明を実施するための最良の形態】
【００２９】
図１から図６は本発明の一実施形態を示すもので、図１は自動販売機の外観斜視図である。
図１に示すように、この自動販売機１００は、略箱状の販売機本体１０２を備え、販売機本体１０２の前部は前扉１０２ａをなしている。販売機本体１０２の内部には複数の商品収納コラムが配され、販売機本体１０２の前面には商品が排出される商品取出口１０４が形成されている。また、販売機本体１０２の前面には、紙幣投入口１０６、硬貨投入口１０８、返却レバー１１０及び硬貨返却口１１２とともに商品を選択するための複数の商品選択ボタン１１４が配される。
【００３０】
図２に示すように、各商品選択ボタン１１４は上下左右に並んでマトリクス状に配される。各商品選択ボタン１１４は、販売機本体１０２の上側に配され、下側中央の４行３列を欠いた８行１１列に並べられている。販売機本体１０２における商品選択ボタン１１４が欠かれた下側中央の部分には情報認識部１１６が配される。情報認識部１１６の下側には紙幣投入口１０６、硬貨投入口１０８及び返却レバー１１０が一体的に設けられている。
【００３１】
図３は商品選択ボタンの正面図、図４は商品選択ボタンの取付構造を示す自動販売機の模式縦断面図である。
図３に示すように、各商品選択ボタン１１４は、それぞれ一の商品を表示する表示部をなす。図３に示すように、各商品選択ボタン１１４は、販売機本体１０２の前面に取り付けられるボタン本体１２０と、ボタン本体１２０に対して着脱自在で商品を表示する商品カードとしてのダミーフィルム１１８と、を有する。各商品選択ボタン１１４の裏側には、ダミーフィルム１１８を発光させるための発光ユニット１５０が配される。
【００３２】
ボタン本体１２０は、例えばプラスチック材からなり、透明に形成される。図３に示すように、ボタン本体１２０は、前扉１０２ａの外板部１３０に形成されたボタン孔１３２の内側に位置する操作部１２０ａと、この操作部１２０ａの上側及び下側に連続的に形成される被支持部１２０ｂと、を有する。操作部１２０ａは、正面視で四辺が上下または左右へ延びる略四角形状に形成される。本実施形態においては、操作部１２０ａは縦長に形成されている。被支持部１２０ｂには、販売機本体１０２に設けられる軸部材１３４を挿通する挿通孔１２０ｃが形成される。本実施形態においては、挿通孔１２０ｃはボタン本体１２０の４隅に形成される。
【００３３】
図４に示すように、操作部１２０ａに比して各被支持部１２０ｂが薄く形成され、各被支持部１２０ｂが外板部１３０と内板部１３８に挟まれた領域に位置している。ここで、販売機本体１０２の前部、すなわち前扉１０２ａは、外板部１３０と内板部１３８の２重構造となっている。また、操作部１２０ａは各被支持部１２０ｂから前方へ突出するよう形成されている。ボタン本体１２０の裏側にはダミーフィルム１１８を保持する保持部１２０ｄが形成される。保持部１２０ｄは、ボタン本体１２０の背面側に形成された上方へ凹の溝１２０ｄ１と、下方へ凹の溝１２０ｄ２と、からなり、ダミーフィルム１１８の上端及び下端を保持する。
【００３４】
また、各商品選択ボタン１１４は、ボタン本体１２０を挿通する軸部材１３４と、この軸部材１３４を巻回するスプリング１３６と、を備えている。図３に示すように、円柱状の軸部材１３４は計４つ設けられ、正面視にてボタン本体１２０の４隅をそれぞれ支持する。図４に示すように、軸部材１３４は、販売機本体１０２の前面をなす外板部１３０と、外板部１３０の裏側に配された内側構造体としての内板部１３８に架設される。また、付勢部材としてのスプリング１３６は、ボタン本体１２０の被支持部１２０ｂの裏面と内板部１３８の間に介装される。これにより、外板部１３０と内板部１３８の間で軸部材１３４の延在方向へ移動自在なボタン本体１２０が、外板部１３０方向へ付勢されるようになっている。
【００３５】
また、図４に示すように、各商品選択ボタン１１４は、ボタン本体１２０における所定箇所の内板部１３８方向への移動を検出する移動検出部１４０を複数有している。各移動検出部１４０は、自動販売機１００の各所を統合制御する制御部１４２に電気的に接続され、制御部１４２の押圧判断部１４４により商品選択ボタン１１４が押圧されたか否かが判断される。押圧判断部１４４は、各商品選択ボタン１１４について、全ての移動検出部１４０によりボタン本体１２０の移動が検出されると、商品選択ボタン１１４が押圧されたと判断する。
【００３６】
具体的には、移動検出部１４０は、内板部１３８に固定された接触式のセンサであり、各商品選択ボタン１１４ごとに４つ設けられる。図５に示すように、各移動検出部１４０は、ボタン本体１２０が最後方位置まで移動すると、ボタン本体１２０における披支持部１２０ｂの背面と接触する。ここで、図５は、ボタン本体が正規の姿勢で押圧された状態を示す自動販売機の模式縦断面図である。ここで、各移動検出部１４０は、各軸部材１３４の近傍に配置されており、ボタン本体１２０の４隅の移動を検出する（図３参照）。すなわち、各移動検出部１４０は互いにボタン本体１２０における異なる箇所の移動を検出する。
【００３７】
図６はダミーフィルムの正面説明図である。
図６に示すように、ダミーフィルム１１８は、正面視にて略四角形状に形成され、商品の銘柄情報を表示する第１表示領域２００と、商品の銘柄以外の属性情報を表示する第２表示領域２０２と、が印刷されている。さらに、ダミーフィルム１１８には、第１表示領域２００の真下に形成される第３表示領域２０４と、全体の下部に形成され商品の販売に関する情報を表示する販売表示領域２０６と、が印刷されている。
【００３８】
本実施形態においては、商品はたばこであり、第１表示領域２００は商品を模して略四角形状に形成され、たばこの箱とほぼ同じデザインが施されている。これにより、各商品選択ボタン１１４が対応している銘柄が一義的に特定されるようになっている。
また、第２表示領域２０２は、第１表示領域２００の周縁外側に周方向へ延びるよう形成される。第２表示領域２０２は、例えばメンソール成分を含んでいる場合は緑色に着色される。
また、第３表示領域２０４は、第１表示領域２００の下側に形成され、第２表示領域２０２に左右を挟まれた四角形状に形成される。具体的に、第３表示領域２０４は、たばこの銘柄と、当該銘柄のタールの量及び価格を表示する。
【００３９】
販売表示領域２０６は、第３表示領域２０４及び第２表示領域２０２の下側に、横長の長方形状に形成される。販売表示領域２０６は、「売切」の文字とその左側の丸い形状が透明に表示され、これらを除いては黒色に着色が施されている。尚、図６では、「売切」の文字とその左側の丸い形状を白抜きで図示しているが、この白抜きの部分が透明となっている。
【００４０】
ダミーフィルム１１８は可撓性を有し、図７の２点鎖線に示すようにボタン本体１２０の保持部１２０ｄへの脱着に際してダミーフィルム１１８を湾曲させることにより、各溝１２０ｄ１，１２０ｄ２に対してダミーフィルム１１８の端部を挿抜することができる。このダミーフィルム１１８は、たばこの箱に比して薄く形成されている。ここで、ダミーフィルム１１８はボタン本体１２０の裏側に配されているが、ボタン本体１２０が透明であることから、図３に示すように、正面からダミーフィルム１１８の印刷状態が視認されるようになっている。
【００４１】
また、ダミーフィルム１１８は、各商品選択ボタン１１４の裏側に配された発光ユニット１５０のＬＥＤ１５２，１５４が点灯すると発光する（図３参照）。発光ユニット１５０は、白色のＬＥＤ１５２と、赤色のＬＥＤ１５４と、各ＬＥＤ１５２，１５４が設けられるユニット本体１５６と、を有する。ユニット本体１５６には各ＬＥＤ１５２，１５４へ電力を供給する電気回路等が収容されている。
【００４２】
図４に示すように、ユニット本体１５６は下端部が内板部１３８に対して回動自在に固定される。また、ユニット本体１５６は上端部が内板部１３８に対して係脱自在に構成される。すなわち、発光ユニット１５０は、ユニット本体１５６の上端部が内板部１３８と係合した状態で各商品選択ボタン１１４を発光させ（図４参照）、ユニット本体１５６の上端部の係合を解除して回動させた状態で各商品選択ボタン１１４の後方が開放される（図７参照）。これにより、図７に示すように、発光ユニット１５０は、各商品選択ボタン１１４を発光させる発光位置ＬＰと、各商品選択ボタンの後方から退去した退去位置ＥＰと、に移動可能なよう内板部１３８に設けられることとなる。
【００４３】
本実施形態においては、ユニット本体１５６は前扉１０２ａの内板部１３８に沿って左右へわたって延び、マトリクス状に配された商品選択ボタン１１４のうち、左右に並ぶ商品選択ボタン１１４どうしで共用となっている。すなわち、横方向へ長尺なユニット本体１５６を回動させることにより、横方向に並ぶ複数の商品選択ボタン１１４について、ワンアクションでボタン本体１２０の背面を露出させることができる。
【００４４】
白色のＬＥＤ１５２は、第１表示領域２００、第２表示領域２０２及び第３表示領域２０４の裏側に配される。図３に示すように、各ＬＥＤ１５２は縦方向及び横方向に整列して設けられている。白色のＬＥＤ１５２が発光することにより、各領域２００，２０２，２０４はダミーフィルム１１８に施された色で発光する。
【００４５】
また、赤色のＬＥＤ１５４は、販売表示領域２０６の裏側に配される。本実施形態においては、ＬＥＤ１５４は、「売切」の文字とその左側の丸い形状の真裏にそれぞれ配される。前述のように、これらは透明であるので、ＬＥＤ１５４が発光すると文字及び形状が赤色に発光する。
【００４６】
以上のように構成された自動販売機１００では、商品選択に際して利用者がボタン本体１２０を前方から押圧し、スプリング１３６の付勢力に抗してボタン本体を待機位置から押圧位置まで移動させると、押圧状態を検出する各移動検出部１４０により商品が選択されたことが検出される（図５参照）。そして、商品選択後に付勢力によりボタン本体１２０は待機位置へ復帰する（図４参照）。
【００４７】
このように、外板部１３０と内板部１３８の間でボタン本体１２０が前後方向へ移動自在となっており、ボタン本体１２０が過度に拘束されて負荷が加わることはない。ここで、ボタン本体１２０が外板部１３０側へ付勢されるので、ボタン本体１２０はガタつくことなく販売機本体１０２に取り付けられている。
【００４８】
また、各商品選択ボタン１１４において、複数の移動検出部１４０によりボタン本体１２０の押圧が検出される。ここで、全ての移動検出部１４０によりボタン本体１２０の移動が検出された際にボタン本体１２０が押圧されたと判別され、図８に示すようにボタン本体１２０が左右或いは上下に傾斜した姿勢となって一部の移動検出部１４０がボタン本体１２０の移動を検出したとしても、ボタン本体１２０が押圧されたとは判別されない。これにより、ボタン本体１２０に左右或いは上下で偏った負荷が加わるなどして、ボタン本体１２０が左右或いは上下に傾斜した姿勢となった場合における商品の誤選択を排除することができる。
従って、利用者によりボタン本体１２０の中心部が押圧されて、ボタン本体１２０が正規の姿勢で移動した場合に商品が選択されたと判別されるので、商品の選択を的確に判別することができる。
【００４９】
また、本実施形態の自動販売機１００によれば、ダミーフィルム１１８をボタン本体１２０の裏側に配してボタン本体１２０を透明としたので、利用者は、ボタン本体１２０を通じてダミーフィルム１１８を視認し、商品選択ボタン１１４の商品を認識することができる。そして、発光ユニット１５０によるダミーフィルム１１８の発光により、当該商品が販売可能であったり広告表示されていることを認識することができる。また、ダミーフィルム１１８はボタン本体１２０の裏側であるので的確に保護され、悪戯等によるダミーフィルム１１８の抜脱を防止することができる。
【００５０】
また、本実施形態の自動販売機１００によれば、ダミーフィルム１１８がボタン本体１２０に対して着脱自在であることから、各商品選択ボタン１１４の選択商品の変更が簡単容易であり、販売商品の変更や、商品選択ボタンのレイアウト変更等に即座に対応することができる。また、ダミーフィルム１１８が軽量薄型であることから運搬等に好適で、各自動販売機１００を巡回する作業車の積載量を少なくすることができるし、作業者にとっては取扱いが簡単容易である。従って、商品見本を展示する従来のものに比べて、各自動販売機１００の巡回作業の労力を格段に低減することができる。
さらに、発光ユニット１５０を退去位置に移動させることにより、ダミーフィルム１１８のボタン本体１２０に対する脱着作業が可能となる。このとき、ボタン本体１２０の後方が開放されるので、脱着時におけるダミーフィルム１１８の取扱いが容易であるし、作業者はダミーフィルム１１８の内容を視認しつつ脱着作業を行うことができる。これにより、ダミーフィルム１１８の誤装着を防止することができる。
【００５１】
また、本実施形態の自動販売機１００によれば、各商品選択ボタン１１４それ自体が表示部をなすことから、ダミー商品等を展示するためのスペースを販売機本体１０２の前面に確保する必要はない（図１参照）。また、各商品選択ボタン１１４がマトリクス状に配されることから、従来の自動販売機にはない新たな外観を呈することとなる。すなわち、フロントフェイスが独特の外観を呈し、従来は点であった各商品選択ボタン１１４を面で見せることができる。さらに、従来は単に商品選択のツールとされていた各商品選択ボタン１１４を用いて、フロントフェイスを利用したプロモーション活動等を行って、顧客訴求効果を格段に向上させることができる。
【００５２】
また、本実施形態の自動販売機１００によれば、ボタン本体１２０に軸部材１３４の挿通孔１２０ｃを形成し、外板部１３０と内板部１３８とに軸部材１３４を架設することにより、ボタン本体１２０を前後方向へ移動自在とする構造が実現される。この構造により、ボタン本体１２０をスライドさせるレール等は不要となり、部品点数及び製造工数を低減することができ、製造コストの低減を図ることができる。
また、軸部材１３４を巻回するスプリング１３６を利用してボタン本体１２０を付勢するようにしたので、簡易な構成でボタン本体１２０を付勢することができる。
【００５３】
尚、前記実施形態では、たばこの自動販売機１００を例示したが、例えば飲料の自動販売機のような他の商品を販売する自動販売機であっても本発明を適用可能であることは言うまでもない。
【００５４】
また、前記実施形態においては、各商品選択ボタン１１４が正面視で四辺が上下または左右へ延びる四角形状に形成され上下左右でマトリクス状に並べられるものを示したが、例えば、各商品選択ボタン１１４が正面視で円形状に形成されていたり、各商品選択ボタン１１４が販売機本体１０２の前面における一対の対角線方向へマトリクス状に並べられているものであってもよい。さらにまた、各商品選択ボタン１１４がマトリクス状でなく、例えば、縦あるいは横方向にのみ整列しているものであってもよい。
【００５５】
また、前記実施形態においては、軸部材１３４を巻回するスプリング１３６によりボタン本体１２０を付勢するものを示したが、例えば板ばねやゴム等のような他の付勢部材により付勢するようにしてもよい。
【００５６】
また、前記実施形態においては、移動検出部１４０がボタン本体１２０の背面と接触する接触式であるものを示したが、移動検出部１４０は、例えば、非接触でボタン本体１２０を検出するものであったり、ボタン本体１２０の側面を検出するものであってもよい。要は、複数の移動検出部１４０が互いにボタン本体１２０における異なる箇所を検出するものであればよい。
【００５７】
また、前記実施形態においては、発光ユニット１５０を内板部１３８に対して回動自在としたものを示したが、発光ユニット１５０は内板部１３８に対して上下や左右にスライドするものであってもよい。要は、発光位置と退去位置とに移動可能であれば前記実施形態と同様の作用効果を得ることができる。また、発光体としてＬＥＤ１５２，１５４を用いたものを示したが、例えば、蛍光灯、ハロゲンランプ、ブラックライトのような他の発光体を用いてもよいことは勿論である。
【００５８】
また、前記実施形態においては、ボタン本体１２０が販売機本体１０２の前面よりも後方に位置する構成としたものを示したが、ボタン本体１２０が前面から突出する構成であってもよい。さらに、ボタン本体１２０の保持部１２０ｄが一対の溝１２０ｄ１，１２０ｄ２であり、ダミーフィルム１１８の上端及び下端が係止されるものを示したが、ボタン本体１２０の内部にダミーフィルム１１８が挿抜される空洞を形成してこれを保持部としてもよい。この場合、ダミーフィルム１１８はボタン本体１２０の裏側でなく内部に配されることとなる。また、前記実施形態においては、ボタン本体１２０が透明であるものを示したが、半透明であってもダミーフィルム１１８を視認可能であることはいうまでもない。
【００５９】
また、前記実施形態においては、前扉１０２ａが２重構造であり内部構造体が内板部１３８であるものを示したが、内部構造体は板状でなく骨格部材等であってもよい。また、ユニット本体１５６が左右方向へ延び左右の商品選択ボタン１１４において共用であるものを示したが、ユニット本体１５６が商品選択ボタン１１４ごとに分離して形成されているものであってもよい。ボタン本体１２０、軸部材１３４等の形状等も任意であるし、その他、具体的な細部構造等についても適宜に変更可能であることは勿論である。
【図面の簡単な説明】
【００６０】
【図１】本発明の一実施形態を示す自動販売機の外観斜視図である。
【図２】自動販売機の正面図である。
【図３】商品選択ボタンの正面図である。
【図４】商品選択ボタンの取付構造を示す自動販売機の模式縦断面図である。
【図５】ボタン本体が正規の姿勢で押圧された状態を示す自動販売機の模式縦断面図である。
【図６】ダミーフィルムの正面説明図である。
【図７】発光ユニットが退去位置へ移動した状態を示す自動販売機の模式縦断面図である。
【図８】ボタン本体が傾斜した姿勢で押圧された状態を示す自動販売機の模式縦断面図である。
【符号の説明】
【００６１】
１００    自動販売機
１０２    販売機本体
１０２ａ    前扉
１０４    商品取出口
１０６    紙幣投入口
１０８    硬貨投入口
１１０    返却レバー
１１２    硬貨返却口
１１４    商品選択ボタン
１１６    情報認識部
１１８    ダミーフィルム
１２０    ボタン本体
１２０ａ    操作部
１２０ｂ    披支持部
１２０ｃ    挿通孔
１２０ｄ    保持部
１２０ｄ１    溝
１２０ｄ２    溝
１３０    外板部
１３２    ボタン孔
１３４    軸部材
１３６    スプリング
１３８    内板部
１４０    移動検出部
１４２    制御部
１４４    押圧判断部
１５０    発光ユニット
１５２    ＬＥＤ
１５４    ＬＥＤ
１５６    ユニット本体
２００    第１表示領域
２０２    第２表示領域
２０４    第３表示領域
２０６    販売表示領域
ＥＰ        退去位置
ＬＰ        発光位置
【図１】
0004402631.tif 000002
【図２】
0004402631.tif 000003
【図３】
0004402631.tif 000004
【図４】
0004402631.tif 000005
【図５】
0004402631.tif 000006
【図６】
0004402631.tif 000007
【図７】
0004402631.tif 000008
【図８】
0004402631.tif 000009